(57)【特許請求の範囲】
【請求項１】
基地局と複数の移動局とがＣＤＭＡ方式により接続し、移動局がとまり木チャネル中の所定のシンボルに同期をとれた最寄りの基地局にて待ち受け状態となる移動通信システムの移動局待ち受け規制方法において、
基地局は移動局の待ち受け規制をするに際して前記所定のシンボルの拡散方法を予め自局について定められた以外の拡散方法に変更することを特徴とする移動局待ち受け規制方法。
【請求項２】
基地局は、移動局がセルサーチの第１段階で参照する第１の所定のシンボルを含む第１とまり木チャネルと、セルサーチの第２段階で参照する第２の所定のシンボルを含む第２とまり木チャネルとを備え、移動局の待ち受け規制をするに際して前記第１又は第２の所定のシンボルの拡散方法を予め自局について定められた以外の拡散方法に変更することを特徴とする請求項１に記載の移動局待ち受け規制方法。
【請求項３】
基地局と複数の移動局とがＣＤＭＡ方式により接続し、移動局がとまり木チャネル中の所定のシンボルに同期をとれた最寄りの基地局にて待ち受け状態となる移動通信システムの移動局待ち受け規制方法において、
基地局は移動局の待ち受け規制をするに際して前記所定のシンボルの内容を予め自局について定められた以外の内容に変更することを特徴とする移動局待ち受け規制方法。
【請求項４】
基地局は、移動局がセルサーチの第１段階で参照する第１の所定のシンボルを含む第１とまり木チャネルと、セルサーチの第２段階で参照する第２の所定のシンボルを含む第２とまり木チャネルとを備え、移動局の待ち受け規制をするに際して前記第１又は第２の所定のシンボルの内容を予め自局について定められた以外の内容に変更することを特徴とする請求項３に記載の移動局待ち受け規制方法。
【請求項５】
基地局と複数の移動局とがＣＤＭＡ方式により接続し、移動局がとまり木チャネル中の所定のシンボルに同期をとれた最寄りの基地局にて待ち受け状態となる移動通信システムの基地局装置において、
とまり木チャネルの送信データを生成するデータ生成部と、
前記送信データを拡散するための１又は２以上がカスコード接続された拡散部と、
拡散部毎の拡散コードを生成するコード発生部と、
拡散部毎に拡散コードを加えるタイミングを制御する拡散制御部とを備え、
前記拡散制御部は、通常は所定のシンボルを予め自局について定められた拡散コードで拡散すると共に、移動局の待ち受け規制をするに際しては前記所定のシンボルの拡散コードを前記予め自局について定められた以外の拡散コードに変更することを特徴とする基地局装置。
【請求項６】
基地局と複数の移動局とがＣＤＭＡ方式により接続し、移動局がとまり木チャネル中の所定のシンボルに同期をとれた最寄りの基地局にて待ち受け状態となる移動通信システムの基地局装置において、
とまり木チャネルの送信データを生成するデータ生成部と、
前記送信データを拡散するための１又は２以上がカスコード接続された拡散部と、
拡散部毎の拡散コードを生成するコード発生部と、
拡散部毎に拡散コードを加えるタイミングを制御する拡散制御部とを備え、
前記データ生成部は、通常は所定のシンボルを予め自局について定められた内容で生成すると共に、移動局の待ち受け規制をするに際しては前記所定のシンボルの内容を前記予め自局について定められた以外の内容に変更することを特徴とする基地局装置。
【発明の詳細な説明】
【０００１】
【発明の属する技術分野】
本発明は移動局待ち受け規制方法及びその装置に関し、更に詳しくは基地局と複数の移動局とがＣＤＭＡ方式により接続し、移動局がとまり木チャネル中の所定のシンボルに同期をとれた最寄りの基地局にて待ち受け状態となる移動通信システムの移動局待ち受け規制方法及びその装置に関する。
【０００２】
この種の移動通信システムでは、移動局はセルサーチの第１段階で最寄りの基地局が提供するとまり木チャネル中の所定のシンボルに同期をとることで、最終的に待ち受け状態となるが、１セルに多数の移動局（通信トラフィック）が集中すると、基地局の通信サービス能力を越えることにもなるため、移動局の待ち受け規制制御を能率良く行えることが望まれる。
【０００３】
【従来の技術】
図１３〜図１７は従来技術を説明する図（１）〜（５）で、図１３は従来のＣＤＭＡ方式による移動通信システムの一部構成を示している。図において、１００は公衆網、１０１は移動体交換局（ＭＳＣ）、１０２は基地局制御装置（ＢＳＣ）、１０は基地局（ＢＳ１〜ＢＳ３）、ＭＳ１〜ＭＳ６は移動局である。
【０００４】
一例の通信状況を具体的に述べると、ＭＳ１〜ＭＳ４はＢＳ２に位置登録しており、その内のＭＳ１〜ＭＳ３は通話中であり、ＭＳ４はページングチャネル等を介して待ち受け状態にある。またＭＳ５はＢＳ２のサービスエリア（セル）内に移行中であり、ＢＳ６はＢＳ２のセル内で新たに電源ＯＮされている。
【０００５】
この場合のＭＳ５は、最寄りのＢＳ２（とまり木チャネル）を捕捉して該ＢＳ２に同期をとり、更にＢＳ２に固有の拡散コード（ロングコード）を同定して該ＢＳ２との間で必要な情報のやり取り（位置登録等）を行い、最終的に何時でも発着信可能な待ち受け状態となる。ＭＳ６についても同様である。
【０００６】
とまり木チャネルとは移動局が電源投入後（又はセルに進入後）に初めて捕捉する物理チャネルであり、基地局（セルが複数セクタに分割されている場合はセクタ）探索時の受信レベル測定対象となるチャネルである。また基地局から移動局への片方向チャネルであり、このシステムでは最寄りの基地局の捕捉及び下り情報の通信に利用される第１とまり木チャネルと、後述のロングコード検索の時間短縮を目的として利用される第２とまり木チャネルとがある。
【０００７】
図１４はとまり木チャネルの無線フォーマットを示している。図において、１無線スーパフレームは複数の無線フレーム１〜ｍ（例えばｍ＝６４）よりなり、また１無線フレーム（例えば１０ｍｓ）は複数の無線スロット１〜ｎ（例えばｎ＝１６）よりなる。更に通信の基本構造となる無線スロット（６２５μｓ）について言うと、第１とまり木チャネルは、移動局が基地局からの情報受信時に同期用基準信号として使用するパイロットシンボル（例えば４シンボル，８ビット）と、基地局から移動局への送信情報であるデータシンボルと、移動局がとまり木チャネルを捕捉する時に受信レベル測定の対象とするロングコードマスクシンボル（例えば１シンボル，２ビット＝「１１」）とから構成され、また第２とまり木チャネルは、グループショートコードを検索するためのロングコードマスクシンボル（例えば１シンボル，２ビット＝「１１」）のみで構成されている。
【０００８】
第１とまり木チャネルにおけるパイロットシンボル及びデータシンボルは、全基地局に共通の共通ショートコード１（１シンボル周期）及び基地局毎に異なるロングコード（１フレーム周期）により２重に拡散され、またロングコードマスクシンボルは全基地局に共通の共通ショートコード２（１シンボル周期）により拡散される。一方、第２とまり木チャネルのロングコードマスクシンボルは全基地局に共通のグループショートコード（１シンボル周期）により拡散される。なお、図１４にはパイロットシンボルを送信するパイロットタイミングＰＴ、データシンボルを送信するデータタイミングＤＴ、ロングコードマスクシンボルを送信するロングコードマスクタイミングＬＭＴが夫々示されている。
【０００９】
図１５は従来の基地局装置の一部構成を示しており、図において、１１は第１とまり木チャネルの送信データ（パイロット，データ，ロングコードマスク）を生成する第１とまり木チャネルデータ生成部、１２は第２とまり木チャネルの送信データ（ロングコードマスク）を生成する第２とまり木チャネルデータ生成部、１３は共通ショートコード１発生部、１４は共通ショートコード２発生部、１５はロングコード発生部、１６はグループショートコード発生部、１７〜２０は入力のシンボルをコード信号で拡散する拡散部（ミキサ等）、２１〜２４は入力シンボルのコード信号による拡散タイミングを制御する拡散スイッチ部、ＡはＡＮＤゲート回路、ＯはＯＲゲート回路、２５はパイロット，データ及びロングコードマスクの各タイミング信号ＰＴ，ＤＴ，ＬＭＴを生成するタイミング生成部、２６は各チャネルの信号をＣＤＭＡ方式の下で信号多重する信号多重部、２７は無線による送信部、２８はアンテナである。なお、その他の図示しない構成については公知の通常の構成が採用される。
【００１０】
第１とまり木チャネルの拡散方法に着目すると、パイロットタイミングＰＴ及びデータタイミングＤＴの区間では拡散スイッチ部２１，２３のみが付勢される結果、パイロットシンボル及びデータシンボルは共通ショートコード１及びロングコードにより２重に拡散される。またロングコードマスクタイミングＬＭＴの区間では拡散スイッチ部２２のみが付勢される結果、ロングコードマスクシンボルは共通ショートコード２のみにより拡散される。一方、第２とまり木チャネルの拡散方法に着目すると、ロングコードマスクタイミングＬＭＴの区間では拡散スイッチ部２４のみが付勢される結果、ロングコードマスクシンボルはグループショートコードのみにより拡散される。
【００１１】
図１６は従来の移動局における３段階セルサーチ処理のフローチャート、また図１７は３段階セルサーチのイメージ図を示している。図１６において、セルサーチの第１段階では最適（最寄り）の基地局を見つける。即ち、ステップＳ１１では各基地局より送信される第１とまり木チャネルのロングコードマスクシンボルを全基地局に共通の共通ショートコード２で逆拡散し、ステップＳ１２では各逆拡散結果のレベル測定を行いながら最も相関値の高いタイミング（基地局）を選択し、これを保持する。
【００１２】
図１７（Ａ）に第１段階の処理イメージを示す。ＢＳ１〜ＢＳ４は互いに非同期で動作しており、夫々のタイミングに共通のロングコードマスクシンボルを送信している。移動局はこれらの各タイミングで夫々のピークを示すような各相関値を検出するが、この例の移動局はＢＳ２に最も近いため、ＢＳ２についての相関値出力（受信電力）が最大となる。そこで、移動局はＢＳ２に逆拡散タイミングの同期をとる。
【００１３】
図１６に戻り、セルサーチの第２段階ではロングコードの検索時間を短縮する作業を行う。即ち、ステップＳ１３では上記保持したタイミングで第２とまり木チャネル中のロングコードマスクシンボルを全てのグループショートコードにより順次逆拡散すると共に、ステップＳ１４では各逆拡散結果を比較し、最も相関値の高いグループショートコードを選択、保持する。
【００１４】
ここで、グループショートコードとロングコードとの関係を説明しておく。今、ある基地局の第１とまり木チャネルに割り当て可能なロングコードが２５６種類あるとすると、これらをＬＣ１〜ＬＣ２５６とする。またこれらを束ねるグループショートコードが１６種類あるとすると、これらをＧＳＣ１〜ＧＳＣ１６とする。この時、両コードを以下の様にグループ分けできる。
【００１５】
ＧＳＣ１「ＬＣ１〜ＬＣ１６」
ＧＳＣ２「ＬＣ１７〜ＬＣ３２」
ＧＳＣ３「ＬＣ３３〜ＬＣ４８」
：          ：
ＧＳＣ１６「ＬＣ２４１〜ＬＣ２５６」
これにより、上記第２段階目のグループショートコードの検索によって例えばＧＳＣ２を検出した場合は、その後はＧＳＣ２に含まれるロングコードＬＣ１７〜ＬＣ３２のみを検索すれば良く、こうして基地局毎に固有のロングコードを検索する時間は１６＋１６＝３２単位分となり、２５６単位分を検索する場合に比べて１／８に短縮される。
【００１６】
図１７（Ｂ）に第２段階の処理イメージを示す。移動局はＢＳ２に同期してＧＳＣ１〜ＧＳＣ１６による各逆拡散を順に行うが、ここではＧＳＣ２による逆拡散で最大の相関値が得られている。
【００１７】
図１６に戻り、セルサーチの第３段階目は基地局毎に固有のロングコードを探し出す作業を行う。即ち、ステップＳ１５では所定の受信シンボル（例えばパイロットシンボル）を上記検出したグループショートコードに属する全てのロングコードにより順に逆拡散すると共に、ステップＳ１６では各逆拡散結果を比較し、最も相関値の高いロングコードを選択し、保持する。
【００１８】
図１７（Ｃ）に第３段階の処理イメージを示す。移動局はＢＳ２に同期してＧＳＣ２に属するＬＣ１７〜ＬＣ３２による各逆拡散を順に行うが、ここではＬＣ２０による逆拡散で最大の相関値が得られている。
【００１９】
以後、移動局では共通ショートコード１と上記選択したロングコードＬＣ２０とを掛け合わせた逆拡散レプリカを使用して、ＢＳ２からのパイロットシンボルに受信同期を取り、続くデータシンボルを受信可能であると共に、その受信情報に基づき、他の論理チャネルを使用してＢＳ２に位置登録等の手続きを行い、最終的にＢＳ２における待ち受け状態となる。
【００２０】
図１３に戻り、こうして、ＭＳ５，６はＢＳ２に新規位置登録され、待ち受け状態となり、ＭＳ５，６はこの待ち受け状態で着信を受けることも、また発信することも可能となる。しかるに、この場合のＢＳ２は既にＭＳ１〜ＭＳ３に通話サービス（通話チャネル）を提供中であり、かつＭＳ４が既に待ち受け状態にあることから、通話チャネルの空きが逼迫する等の理由により、待ち受け規制を行うことになる。従来は、ＢＳ２は待ち受け規制中であってもＭＳ５，６を一旦新規待ち受け状態に受け付けると共に、ＢＳ２より報知チャネルを使用して待ち受け規制（発信規制等）中の情報を送信し、これを受信したＭＳ４〜ＭＳ６では自局からの発信等を規制していた。
【００２１】
【発明が解決しようとする課題】
しかし、上記の如くＢＳ２が待ち受け規制中であってもＭＳ５，６を新規待ち受け状態に受け付ける方式であると、ＭＳ５，６では結果として待ち受け規制されるにも係わらず３段階セルサーチを行ってＢＳ２に待ち受け状態となる必要があり、このために余分な電力を消費する。またＭＳ５，６はＢＳ２の待ち受け状態に入って後、発信等を規制されるため、ＢＳ２のセル内にいる間はＢＳ２に拘束されてしまう。また上記の状況をＢＳ２の側から見ると、ＢＳ２は待ち受け規制後に待ち受け要求となったＭＳ５，６に対して迅速な待ち受け規制を行えなかったことにもなる。
【００２２】
本発明は上記従来技術の問題点に鑑みなされたもので、その目的とする所は、移動局の待ち受け規制を迅速かつ能率良く行える移動局待ち受け規制方法及びその装置を提供することにある。
【００２３】
【課題を解決するための手段】
上記の課題は例えば図１の構成により解決される。即ち、本発明（１）の移動局待ち受け規制方法は、基地局と複数の移動局とがＣＤＭＡ方式により接続し、移動局がとまり木チャネル中の所定のシンボルに同期をとれた最寄りの基地局にて待ち受け状態となる移動通信システムの移動局待ち受け規制方法において、基地局は移動局の待ち受け規制をするに際して前記所定のシンボルの拡散方法を予め自局について定められた以外の拡散方法に変更するものである。
【００２４】
本発明（１）においては、基地局は移動局の待ち受け規制をするに際して所定のシンボルの拡散方法を予め自局について定められた以外の拡散方法に変更する構成により、待ち受け規制後にサービスエリア内に移行したＭＳ５や該サービスエリア内で電源ＯＮされたＭＳ６等では、セルサーチの初期段階で所定のシンボルを検出できず、こうして新規ＭＳ５，６が待ち受け状態になることを未然に規制できる。しかも、ＭＳ５，６は無駄となるセルサーチを行う必要が無く、よってＭＳ５，６の電力節約が図れる。また、この状況を基地局（ＢＳ２）の側から見ると、待ち受け規制中の新規ＭＳ５，６をセルサーチの初期段階で規制できたことになり、よって迅速な規制制御を行える。
【００２５】
また本発明は既存の移動局（ＭＳ１〜６）に対して何らの変更も加えること無く実現できるため、既存の移動通信システムに導入し易い。また、基地局は待ち受け規制対象を待ち受け規制後の移動局（ＭＳ５，６）に絞り込める。一方、通話中を含む既に待ち受け状態のＭＳ１〜ＭＳ４はセルサーチを行わないので夫々の待ち受け状態を維持できる。従って、基地局は早いもの優遇する様な公平な待ち受け規制サービスを提供できる。
【００２６】
また、待ち受け規制対象となったＭＳ５，６においては、最寄りのＢＳ２のとまり木チャネルが見えない代わりに、次に近い他のＢＳ１，３等のとまり木チャネルが見えることとなり、これらを捕捉して待ち受け状態となり得る。従って、ＢＳ２への１セル集中化を自動的に分散させられると共に、ＭＳ５，６はＢＳ２に拘束されることも無く、ＢＳ１，３等を介して発着信可能となり得る。即ち、通信リソース（通信チャネル等）の有効利用が図れる。
【００２７】
好ましくは、本発明（２）においては、上記本発明（１）において、
基地局は、移動局がセルサーチの第１段階で参照する第１の所定のシンボルを含む第１とまり木チャネルと、セルサーチの第２段階で参照する第２の所定のシンボルを含む第２とまり木チャネルとを備え、移動局の待ち受け規制をするに際して前記第１又は第２の所定のシンボルの拡散方法を予め自局について定められた以外の拡散方法に変更する。
【００２８】
ところで、この種の移動通信システムでは、第１とまり木チャネルを参照したセルサーチの第１段階で最寄りの基地局に同期をとって後、基地局毎に固有のロングコードを検索して当該基地局と通信可能（待ち受け状態に移行可能）となる様な所謂２段階セルサーチ法を採用する場合がある。また上記ロングコードの検索を短縮するために、セルサーチの第２段階で第２とまり木チャネルを参照し、ここで予め小グループにグループ分けされたロングコードグループを特定するためのグループショートコードを検索する所謂３段階セルサーチ法を採用する場合もある。本発明（２）はこの様な３段階セルサーチ法の移動通信システムに適用して好適であり、基地局は上記第１又は第２の所定のシンボルの拡散方法を予め自局について定められた以外の拡散方法に変更する構成により、移動局をセルサーチの第１又は第２段階で未然に待ち受け規制できる。
【００２９】
また本発明（３）の移動局待ち受け規制方法は、基地局と複数の移動局とがＣＤＭＡ方式により接続し、移動局がとまり木チャネル中の所定のシンボルに同期をとれた最寄りの基地局にて待ち受け状態となる移動通信システムの移動局待ち受け規制方法において、基地局は移動局の待ち受け規制をするに際して前記所定のシンボルの内容を予め自局について定められた以外の内容に変更するものである。
【００３０】
本発明（３）においては、基地局は移動局の待ち受け規制をするに際して所定のシンボルの内容を予め自局について定められた以外の内容に変更する簡単な構成により、移動局では自己のセルサーチで所定のシンボルを検出できなくなり、こうして新規移動局が待ち受け状態に入ることを未然に規制できる。
【００３１】
好ましくは、本発明（４）においては、上記本発明（３）において、基地局は、移動局がセルサーチの第１段階で参照する第１の所定のシンボルを含む第１とまり木チャネルと、セルサーチの第２段階で参照する第２の所定のシンボルを含む第２とまり木チャネルとを備え、移動局の待ち受け規制をするに際して前記第１又は第２の所定のシンボルの内容を予め自局について定められた以外の内容に変更する。
【００３２】
本発明（４）においては、上記第１又は第２の所定のシンボルの内容を予め自局について定められた以外の内容に変更する構成により、移動局をセルサーチの第１又は第２段階で未然に待ち受け規制できる。
【００３３】
また本発明（５）の基地局装置は、基地局と複数の移動局とがＣＤＭＡ方式により接続し、移動局がとまり木チャネル中の所定のシンボルに同期をとれた最寄りの基地局にて待ち受け状態となる移動通信システムの基地局装置において、とまり木チャネルの送信データを生成するデータ生成部と、前記送信データを拡散するための１又は２以上がカスコード接続された拡散部と、拡散部毎の拡散コードを生成するコード発生部と、拡散部毎に拡散コードを加えるタイミングを制御する拡散制御部とを備え、前記拡散制御部は、通常は所定のシンボルを予め自局について定められた拡散コードで拡散すると共に、移動局の待ち受け規制をするに際しては前記所定のシンボルの拡散コードを前記予め自局について定められた以外の拡散コードに変更するものである。
【００３４】
また本発明（６）の基地局装置は、基地局と複数の移動局とがＣＤＭＡ方式により接続し、移動局がとまり木チャネル中の所定のシンボルに同期をとれた最寄りの基地局にて待ち受け状態となる移動通信システムの基地局装置において、とまり木チャネルの送信データを生成するデータ生成部と、前記送信データを拡散するための１又は２以上がカスコード接続された拡散部と、拡散部毎の拡散コードを生成するコード発生部と、拡散部毎に拡散コードを加えるタイミングを制御する拡散制御部とを備え、前記データ生成部は、通常は所定のシンボルを予め自局について定められた内容で生成すると共に、移動局の待ち受け規制をするに際しては前記所定のシンボルの内容を前記予め自局について定められた以外の内容に変更するものである。
【００３５】
【発明の実施の形態】
以下、添付図面に従って本発明に好適なる複数の実施の形態を詳細に説明する。なお、全図を通して同一符号は同一又は相当部分を示すものとする。
【００３６】
図２は第１の実施の形態による基地局装置の一部構成を示す図で、第１とまり木チャネルにおけるロングコードマスクシンボルの拡散方法を変える場合を示している。図において、２１〜２３は第１の実施の形態による拡散スイッチ部、２１ａ〜２３ａはセレクタ（ＳＥＬ）、３１は拡散スイッチ制御部である。その他の構成については上記図１５で述べたものと同様で良い。
【００３７】
拡散スイッチ制御部３１は基地局装置１０の主制御部（不図示）から送られる待ち受け規制信号（＝０／１）に応じてセレクタ２１ａ〜２３ａの各選択制御信号Ｓ１〜Ｓ３（＝０／１）を出力する。セレクタ２１ａ〜２３ａには信号０とロングコードマスクタイミング信号ＬＭＴとが入力しており、選択制御信号Ｓ＝０の時は入力信号０を選択出力し、また選択制御信号Ｓ＝１の時は入力のロングコードマスクタイミング信号ＬＭＴを出力する。
【００３８】
ところで、基地局１０の第１とまり木チャネルにおけるロングコードマスクシンボル（＝「１１」）は、通常なら共通ショートコード２のみによって拡散されており、この場合の移動局は共通ショートコード２によってロングコードマスクシンボルを適正に逆拡散できる。しかし、上記ロングコードマスクシンボルが、もし共通ショートコード２以外の拡散コード等により拡散されていると、移動局ではもはやロングコードマスクシンボルを適正に逆拡散できない。従って、移動局におけるセルサーチの第１段階において当該基地局を見えない様にするにはロングコードマスクシンボルを共通ショートコード２以外の拡散コード等により拡散するのが有効である。
【００３９】
これを実現する簡単な方法としては、第１とまり木チャネルのロングコードマスクシンボルを、上記共通ショートコード２に代えて、システムで不使用な他の特定のショートコードにより拡散することが考えられる。但し、この場合はシステム全体である特定のショートコードを不使用にアサインする必要がある。本第１の実施の形態では、第１とまり木チャネルのデータを既存の各コードを使用して拡散部１７〜１９により最大三多重拡散できる構成を利用して、上記特定のショートコードを使用することも無く、簡単な構成と制御で目的を達成できる。
【００４０】
図３は第１の実施の形態による拡散スイッチ制御部３１の制御方法を説明する図である。三多重拡散可能な拡散方法の組合せには無拡散を含む以下の８通りの拡散方法がある。図において、拡散方法（０）は無拡散、拡散方法（１）はロングコードのみによる拡散、拡散方法（２）は共通ショートコード２のみによる拡散、拡散方法（３）は共通ショートコード２及びロングコードによる二重拡散、以下同様にして進み、拡散方法（７）は共通ショートコード１，共通ショートコード２及びロングコードによる三重拡散である。上記拡散方法（２）は本通信システムにおける正規の拡散方法であり、本第１の実施の形態ではそれ以外の拡散方法を採用することにより移動局におけるセルサーチの第１段階を有効に阻止できる。ここでは、拡散方法（３），（６）及び（０）の場合を更に具体的に説明する。
【００４１】
図４は第１の実施の形態における拡散方法（３）を説明する図で、第１とまり木チャネルのロングコードマスクシンボルを共通ショートコード２及びロングコードにより二重拡散する場合を示している。図２を参照するに、この場合の拡散スイッチ制御部３１は、入力の待ち受け規制信号＝０（非規制）の場合はセレクタ２１ａ〜２３ａの各選択制御信号Ｓ１＝０，Ｓ２＝１，Ｓ３＝０｛拡散方法（２）｝を出力する。この場合のセレクタ２１ａ〜２３ａの各出力は夫々信号０，ロングコードマスクタイミング信号ＬＭＴ，信号０であり、これによりロングコードマスクシンボルは共通ショートコード２のみによって拡散される。
【００４２】
また拡散スイッチ制御部３１は、入力の待ち受け規制信号＝１（規制）になると、各選択制御信号Ｓ１＝０，Ｓ２＝１，Ｓ３＝１｛拡散方法（３）｝を出力する。この場合のセレクタ２１ａ〜２３ａの各出力は夫々信号０，ロングコードマスクタイミング信号ＬＭＴ，ロングコードマスクタイミング信号ＬＭＴとなり、これによりロングコードマスクシンボルは共通ショートコード２及びロングコードによって２重拡散される。図４を参照するに、ロングコードによる拡散はロングコードマスクタイミングＬＭＴの区間にもＯＮにされている。
【００４３】
図５は第１の実施の形態における拡散方法（６）を説明する図で、第１とまり木チャネルのロングコードマスクシンボルを共通ショートコード１及び共通ショートコード２により二重拡散する場合を示している。図２を参照するに、待ち受け規制信号＝０（非規制）におけるロングコードマスクシンボルは上記同様に共通ショートコード２のみによって拡散される。また拡散スイッチ制御部３１は、入力の待ち受け規制信号＝１（規制）になると、各選択制御信号Ｓ１＝１，Ｓ２＝１，Ｓ３＝０を出力する。この場合のセレクタ２１ａ〜２３ａの各出力は夫々ロングコードマスクタイミング信号ＬＭＴ，ロングコードマスクタイミング信号ＬＭＴ，信号０となり、これによりロングコードマスクシンボルは共通ショートコード１及び共通ショートコード２によって２重拡散される。図５を参照するに、共通ショートコード１による拡散はロングコードマスクタイミングＬＭＴの区間にもＯＮにされている。
【００４４】
図６は第１の実施の形態における拡散方法（０）を説明する図で、第１とまり木チャネルのロングコードマスクシンボルを無拡散で送信する場合を示している。図２を参照するに、待ち受け規制信号＝０（非規制）におけるロングコードマスクシンボルは上記同様に共通ショートコード２のみによって拡散される。また拡散スイッチ制御部３１は、入力の待ち受け規制信号＝１（規制）になると、各選択制御信号Ｓ１＝０，Ｓ２＝０，Ｓ３＝０を出力する。この場合のセレクタ２１ａ〜２３ａの各出力は夫々信号０，信号０，信号０となり、これによりロングコードマスクシンボルは無拡散で出力される。図６を参照するに、共通ショートコード２による拡散はロングコードマスクタイミングＬＭＴの区間にもＯＦＦにされている。
【００４５】
図７は第１の実施の形態による待ち受け規制制御のイメージ図である。ＢＳ２がその待ち受け規制時に拡散方法（０），（１），（３）〜（７）の何れか一つを採用した場合には、ＢＳ２のサービス圏内に新たに進入し又は該サービス圏内で新たに電源ＯＮされた移動局（ＭＳ５，６）との間では第１とまり木チャネルにおけるロングコードマスクシンボルの拡散方法と逆拡散方法とが異なるために、移動局ではこのロングコードマスクシンボルを適正に逆拡散できない。従って、ＭＳ５，６ではセルサーチの第１段階からＢＳ２が見えなくなり、こうして、ＢＳ２はＭＳ５，ＭＳ６を能率良く待ち受け規制できる。因みに、この場合のＭＳ５，６は次に受信電力の大きいＢＳ１，３等を捕捉することになる。
【００４６】
なお、上記第１の実施の形態では拡散スイッチ部２１〜２３が夫々セレクタ２１ａ〜２３ａを備える場合を述べたがこれに限らない。例えば拡散方法（３）を実現する場合には、拡散スイッチ部２３のみにセレクタ２３ａを備え、その他の拡散スイッチ部２１，２２については上記図１５の固定型の拡散スイッチ部２１，２２を使用できる。他の拡散方法を実現する場合も同様である。
【００４７】
図８は第２の実施の形態による基地局装置の一部構成を示す図で、第２とまり木チャネルにおけるロングコードマスクシンボルの拡散方法を変える場合を示している。図において、２４は第２の実施の形態による拡散スイッチ部、２４ａはセレクタ（ＳＥＬ）、３１は第２の実施の形態による拡散スイッチ制御部である。その他の構成については上記図１５で述べたものと同様で良い。
【００４８】
上記以外にも、第２とまり木チャネルにおけるロングコードマスクシンボルの拡散方法を変えることにより移動局におけるセルサーチの第２段階を有効に阻止できる。これを実現する方法としては、第２とまり木チャネルのロングコードマスクシンボルを、通常のグループショートコードに代え、この通信システムで不使用な他の特定のショートコード等により拡散することが考えられる。但し、この場合はシステム全体である特定のショートコードを不使用にする必要がある。本第２の実施の形態では、第２とまり木チャネルのロングコードマスクシンボルを既存のグループショートコードを使用して拡散部２０により拡散できる構成を利用して、特定のショートコードを使用することも無く、簡単な構成と制御で目的を達成できる。
【００４９】
図９は第２の実施の形態におけるロングコードマスクシンボルの拡散方法を説明する図で、待ち受け規制時のロングコードマスクシンボルを無拡散で送出する場合を示している。図８を参照するに、この場合の拡散スイッチ制御部３１は、入力の待ち受け規制信号＝０（非規制）の場合はセレクタ２４ａの選択制御信号Ｓ４＝１を出力する。従って、セレクタ２４ａの出力はロングコードマスクタイミング信号ＬＭＴであり、これによりロングコードマスクシンボルはグループショートコードのみによって拡散される。また拡散スイッチ制御部３１は、入力の待ち受け規制信号＝１（規制）になると、選択制御信号Ｓ４＝０を出力する。この場合のセレクタ２４ａの出力は信号０となり、これによりロングコードマスクシンボルは無拡散となる。図９を参照するに、グループショートコードによる拡散はロングコードマスクタイミングＬＭＴの区間でもＯＦＦにされている。
【００５０】
図１０は第２の実施の形態による待ち受け規制制御のイメージ図である。ＢＳ２がその待ち受け規制時にグループショートコードによる拡散をＯＦＦにすると、新規参入組のＭＳ５，６はセルサーチの第１段階ではＢＳ２を捕捉できるが、更にその第２段階では第２とまり木チャネルのロングコードマスクシンボルを全てのグループショトコードＧＳＬ１〜ＧＳＬ１６で逆拡散しても所要以上の相関値が得られないため、セルサーチの第２段階を達成できない。こうして、ＢＳ２は待ち受け規制中における新規待ち受け参入組のＭＳ５，６を能率良く待ち受け規制できる。
【００５１】
因みに、この場合のＭＳ５，６はセルサーチの第２段階で実質的に待機中となることが可能であり、やがてＢＳ２が待ち受け規制を解除すると、セルサーチの第２，第３段階を達成し、最終的に待ち受け状態となる。又は、移動局のセルサーチソフトウェアを変更することが可能であり、この場合のＭＳ５，６は、セルサーチの第２段階で待機すること無く、第１段階に戻って他のＢＳ１，ＢＳ３等を捕捉することも可能である。
【００５２】
図１１は第３の実施の形態による基地局装置の一部構成を示す図で、第１又は第２とまり木チャネルにおけるロングコードマスクシンボルの内容（通常は「１１」）を変更する場合を示している。上記以外にも、第１又は第２とまり木チャネルにおけるロングコードマスクシンボルの内容「１１」を変更することにより移動局におけるセルサーチの第１又は第２段階を有効に阻止できる。
【００５３】
図において、３１は第３の実施の形態による拡散スイッチ制御部、３２，３３はロングコードマスクシンボルの内容を変更するデータ変換部、ＥはＥＸ−ＯＲ回路である。その他の構成については上記図１５で述べたものと同様で良い。
【００５４】
移動局におけるセルサーチの第１段階を阻止する場合には、第１とまり木チャネルにおけるロングコードマスクシンボルの内容を変更する。具体的に言うと、拡散スイッチ制御部３１は、主制御部（不図示）からの待ち受け規制信号＝０（非規制）の場合はセレクタ３２ａの選択制御信号Ｓ５＝０を出力している。この場合のセレクタ３２ａは信号０を選択出力し、これによりＥＸ−ＯＲ回路Ｅ１の出力のロングコードマスクシンボルは入力シンボルと同一の「１１」である。また上記拡散スイッチ制御部３１は、主制御部からの待ち受け規制信号＝１（規制）になると、選択制御信号Ｓ５＝１を出力する。この場合のセレクタ３２ａはロングコードマスクタイミング信号ＬＭＴを出力し、これによりＥＸ−ＯＲ回路Ｅ１の出力のロングコードマスクシンボルは入力シンボルが論理反転された「００」となる。また移動局におけるセルサーチの第２段階を阻止する場合には、第２とまり木チャネルにおけるロングコードマスクシンボルの内容を変更する。その動作は上記と同様であるため説明を省略する。
【００５５】
なお、上記第３の実施の形態では第１又は第２とまり木チャネルにおけるロングコードマスクシンボルの内容を通常の「１１」から「００」に変更する場合を述べたが、これに限らない。例えばロングコードマスクシンボルの内容を「１０」，「０１」等に変更しても良い。またその変更方法も、上記データ変換部３２，３３を設ける代わりに、第１／第２とまり木チャネルデータ生成部１１，１２内に記憶されているロングコードマスクシンボルの内容を主制御部等により直接に書き換えても良い。
【００５６】
図１２は上記各実施の形態による移動通信システムの一部構成を示している。図において、ＢＳ１〜ＢＳ３は上記各実施の形態による基地局であり、それ以外の構成及び各ＭＳ１〜ＭＳ６についての動作状況は上記図１３で述べたものと同様で良い。上記各実施の形態によれば、ＢＳ２の待ち受け規制後にセルに進入したＭＳ５は、セルサーチの第１又は第２段階を阻止されることによりＢＳ２を見つけることが出来ず、代わりに例えば隣のＢＳ１で待ち受け状態となる。またＢＳ２のセル内で電源ＯＮされたＭＳ６は、上記同様の理由でＢＳ２を見つけることが出来ず、代わりに例えば隣のＢＳ３で待ち受け状態となる。
【００５７】
この様な待ち受け規制制御は、基地局に加える上記簡単な構成及び制御で実現できると共に、既存の移動局に対しては何ら変更を加える必要は無い。またＭＳ５，６はセルサーチの初期段階で該セルサーチを阻止される結果、無駄なセルサーチで消費される電力を大幅に削減できる。またこの場合のＭＳ５，６は隣接するＢＳ１，３等を捕捉可能であり、これにより通信トラフィックの分散と共に有限な通信リソース（通話チャネル等）の有効活用となる。またＢＳ２は待ち受け規制対象のＢＳ５，６を位置登録しないばかりか、これらＢＳ５，６の存在に関しては何ら関知しない。即ち、この場合のＢＳ２は既に待ち受け状態になっているＭＳ１〜ＭＳ４を管理すれば良く、よってＢＳ２の待ち受け規制時におけるＭＳ管理が従来よりも一層簡単なものになる。
【００５８】
また次の様な応用例も容易に実現できる。即ち、この場合のＢＳ１，３は既存（運用中）の基地局、ＭＳ５，６は既存の移動局、ＢＳ２は新設（テスト中）の基地局、そして、ＭＳ１〜ＭＳ４はＢＳ２のテスト等を行うための移動局とする。更に、このＢＳ２は待ち受け規制の有／無によらずＭＳ５，６からは常時見えないが、ＭＳ１〜ＭＳ４からは常時見えるものとする。この場合のＭＳ５，６からはＢＳ２が見えないため、夫々は通常に従ってＢＳ１，３に接続する。一方、ＭＳ１〜ＭＳ４からはＢＳ２が見えるため、夫々は通常に従ってＢＳ２に接続する。こうして簡単な構成及び制御により新設のＢＳ２をその運用前に十分にテストできる。特にＢＳ２により新サービスを提供する様な場合には、本発明は大きな効果を発揮する。
【００５９】
なお、上記各実施の形態では従来技術で述べた様な３段階セルサーチ法への適用例を述べたが、これに限らない。本発明は、例えばセルサーチの第１段階ではシステムに共通のシンボル及び拡散コードを使用して特定（最寄り）の基地局に同期を取り、続く第２段階では得られた同期タイミングを利用して当該基地局に固有のロングコードを検索する様な所謂２段階セルサーチ法を採用する通信システムにも適用可能である。
【００６０】
また、上記本発明に好適なる複数の実施の形態を述べたが、本発明思想を逸脱しない範囲内で各部の構成、制御、及びこれらの組合せの様々な変更が行えることは言うまでも無い。
【００６１】
【発明の効果】
以上述べた如く本発明によれば、新規待ち受け参入組の移動局に対して、待ち受け規制中の基地局を見えなくする簡単な方法により、既存の移動局には何らの変更も加えること無く、移動局の待ち受け規制を迅速かつ能率良く行える。また同時に移動局における節電と、他の基地局への分散待ち受けとが図れ、移動通信システムにおけるリソース（通信チャネル等）の有効活用に寄与する所が極めて大きい。
【図面の簡単な説明】
【図１】本発明の原理を説明する図である。
【図２】第１の実施の形態による基地局装置の一部構成を示す図である。
【図３】第１の実施の形態による拡散スイッチ制御部３１の制御方法を説明する図である。
【図４】第１の実施の形態における拡散方法（３）を説明する図である。
【図５】第１の実施の形態における拡散方法（６）を説明する図である。
【図６】第１の実施の形態における拡散方法（０）を説明する図である。
【図７】第１の実施の形態による待ち受け規制制御のイメージ図である。
【図８】第２の実施の形態による基地局装置の一部構成を示す図である。
【図９】第２の実施の形態におけるロングコードマスクシンボルの拡散方法を説明する図である。
【図１０】第２の実施の形態による待ち受け規制制御のイメージ図である。
【図１１】第３の実施の形態による基地局装置の一部構成を示す図である。
【図１２】実施の形態による移動通信システムの一部構成を示す図である。
【図１３】従来技術を説明する図（１）である。
【図１４】従来技術を説明する図（２）である。
【図１５】従来技術を説明する図（３）である。
【図１６】従来技術を説明する図（４）である。
【図１７】従来技術を説明する図（５）である。
【符号の説明】
１０  基地局（ＢＳ）
１１  第１とまり木チャネルデータ生成部
１２  第２とまり木チャネルデータ生成部
１３  共通ショートコード１発生部
１４  共通ショートコード２発生部
１５  ロングコード発生部
１６  グループショートコード発生部
１７〜２０  拡散部
２１〜２４  拡散スイッチ部
２１ａ〜２４ａ  セレクタ（ＳＥＬ）
２５  タイミング生成部
２６  信号多重部
２７  送信部
２８  アンテナ
３１  拡散スイッチ制御部
３２，３３  データ変換部
１００  公衆網
１０１  移動体交換局（ＭＳＣ）
１０２  基地局制御装置（ＢＳＣ）
Ａ  ＡＮＤゲート回路
Ｅ  ＥＸ−ＯＲ回路
Ｏ  ＯＲゲート回路
ＭＳ  移動局
【図１】
0004405623.tif 000002
【図２】
0004405623.tif 000003
【図３】
0004405623.tif 000004
【図４】
0004405623.tif 000005
【図５】
0004405623.tif 000006
【図６】
0004405623.tif 000007
【図７】
0004405623.tif 000008
【図８】
0004405623.tif 000009
【図９】
0004405623.tif 000010
【図１０】
0004405623.tif 000011
【図１１】
0004405623.tif 000012
【図１２】
0004405623.tif 000013
【図１３】
0004405623.tif 000014
【図１４】
0004405623.tif 000015
【図１５】
0004405623.tif 000016
【図１６】
0004405623.tif 000017
【図１７】
0004405623.tif 000018